(57)【要約】【課題】再生される映像の実用性を確保したうえで省電力化を図れる映像再生装置の提供。【解決手段】映像再生装置１は、ディスプレイ５に表示された映像に対しての人物の視線を検出する視線検出部２１と、視線検出部２１による検出結果に基づいて、ディスプレイ５の表示映像についての人物の視聴形態を判定する視聴形態判定部２２と、視聴形態判定部２２により判定された視聴形態に応じて、ディスプレイ５の表示映像の画質を調整する画質調整部８と、を備えている。【選択図】図１
2011137874.tif 000002
【特許請求の範囲】
【請求項１】
ディスプレイに表示された映像に対しての人物の視線を検出する視線検出部と、
前記視線検出部による検出結果に基づいて、前記人物による前記映像の視聴状況を判定する視聴状況判定部と、
前記視聴状況判定部により判定された視聴状況に応じて、前記映像の画質を調整する画質調整部と、
を具備することを特徴とする映像再生装置。
【請求項２】
前記視聴状況判定部は、前記視線検出部による検出結果に基づいて前記人物の視線が前記映像に向けられている度合いを算出し、この算出結果から前記映像を前記人物が注視しているか否かを前記視聴状況として判定する、
ことを特徴とする請求項１記載の映像再生装置。
【請求項３】
前記ディスプレイは、表示素子が光を受光して表示を行う受光型の表示装置であり、かつ前記表示素子を複数の領域に区分した分割領域毎に複数の光源から各々光が供給され、
前記画質調整部は、前記映像の画質調整を前記光源毎の輝度調整で行うことにより、映像再生装置本体の消費電力を制御する、
ことを特徴とする請求項１又は２記載の映像再生装置。
【請求項４】
前記画質調整部の消費電力制御は、隣接する分割領域の光源間の輝度の差の抑制を弱めることによって制御することを特徴とする請求項３記載の映像再生装置。
【請求項５】
前記画質調整部の消費電力抑制は、分割領域ごとの光源の時間的な輝度の変化の抑制を弱めることによって制御することを特徴とする請求項３記載の映像再生装置。
【請求項６】
前記視聴状況判定部により判定される視聴状況にかかわらず、強制的に前記映像の画質を設定する画質強制設定部、
をさらに具備することを特徴とする請求項１ないし５のいずれか１項に記載の映像再生装置。
【請求項７】
前記視線検出部は、前記映像を視聴する人物自体の存在の有無を検出し、
前記視線検出部によって、前記映像を視聴する人物が存在しないことが検出された場合、前記ディスプレイに表示されている前記映像を非表示とする非表示制御部、
をさらに具備することを特徴とする請求項１ないし６のいずれか１項に記載の映像再生装置。
【請求項８】
ディスプレイに表示された映像に対しての人物の視線を検出する視線検出ステップと、
前記視線検出ステップでの検出結果に基づいて、前記人物による前記映像の視聴状況を判定する視聴状況判定ステップと、
前記視聴状況判定ステップで判定された視聴状況に応じて、前記映像の画質を調整する画質調整部と、
を有することを特徴とする映像再生方法。
【請求項９】
前記視聴状況判定ステップでは、前記視線検出ステップでの検出結果に基づいて前記人物の視線が前記映像に向けられている度合いを算出し、この算出結果から前記映像を前記人物が注視しているか否かを前記視聴状況として判定する、
ことを特徴とする請求項８記載の映像再生方法。
【請求項１０】
前記ディスプレイは、表示素子が光を受光して表示を行う受光型の表示装置であると共に、前記表示素子を複数の領域に区分した分割領域毎に光を供給する複数の光源を備え、
前記画質調整ステップでは、前記映像の画質調整を前記光源毎の輝度調整で行うことにより、映像再生装置本体の消費電力を制御する、
ことを特徴とする請求項８又は９記載の映像再生方法。
【請求項１１】
前記画質調整ステップでの消費電力制御は、隣接する分割領域の光源間の輝度の差の抑制を弱めることによって制御することを特徴とする請求項１０記載の映像再生方法。
【請求項１２】
前記画質調整ステップでの消費電力抑制は、分割領域ごとの光源の時間的な輝度の変化の抑制を弱めることによって制御することを特徴とする請求項１０記載の映像再生方法。
【請求項１３】
前記視聴状況判定ステップで判定される視聴状況にかかわらず、強制的に前記映像の画質を設定する画質強制設定ステップ、
をさらに有することを特徴とする請求項８ないし１２のいずれか１項に記載の映像再生方法。
【請求項１４】
前記視線検出ステップでは、前記映像を視聴する人物自体の存在の有無を検出し、
前記視線検出部は、前記映像を視聴する人物自体の存在の有無を検出し、
前記視線検出ステップによって、前記映像を視聴する人物が存在しないことが検出された場合、前記ディスプレイに表示されている前記映像を非表示とする非表示ステップ、
をさらに有することを特徴とする請求項８ないし１３のいずれか１項に記載の映像再生方法。
【発明の詳細な説明】
【技術分野】
【０００１】
本発明は、映像を再生するための映像再生装置及び映像再生方法に関する。
【背景技術】
【０００２】
ＬＣＤパネルの背面側に複数のバックライトをマトリクス状に並べて配置し、バックライト毎の点灯／消灯を制御するようにした携帯機器が知られている（例えば特許文献１参照）。
【０００３】
上記の携帯機器は、ユーザが見ているＬＣＤパネル上の視点の位置を検出し、この検出した視点の位置に対応する必要最小限のバックライトを選択的に点灯させることで、省電力化を図っている。
【先行技術文献】
【特許文献】
【０００４】
【特許文献１】特開２００８−２０９６１０号公報
【発明の概要】
【発明が解決しようとする課題】
【０００５】
しかしながら、省電力化を目的するこのようなバックライトの点灯制御を、比較的大画面の液晶テレビなどに適用した場合、バックライトを消灯している表示領域の映像部分は実用に供さないことなどが予想される。
【０００６】
本発明は、このような課題を解決するためになされたものであり、再生される映像の実用性を確保したうえで省電力化を図ることができる映像再生装置及び映像再生方法の提供を目的とする。
【課題を解決するための手段】
【０００７】
上記目的を達成するために、本発明の一態様である例えば映像再生装置は、ディスプレイに表示された映像に対しての人物の視線を検出する視線検出部と、前記視線検出部による検出結果に基づいて、前記人物による前記映像の視聴状況を判定する視聴状況判定部と、前記視聴状況判定部により判定された視聴状況に応じて、前記映像の画質を調整する画質調整部と、を具備することを特徴とする。
【発明の効果】
【０００８】
本発明によれば、再生される映像の実用性を確保したうえで省電力化を図ることができる映像再生装置及び映像再生方法を提供することが可能である。
【図面の簡単な説明】
【０００９】
【図１】本発明の実施形態に係る映像再生装置を搭載したテレビジョン装置を示す機能ブロック図。
【図２】図１の映像再生装置により作成される表示モード選択画面を示す図。
【図３】図１の映像再生装置による画質自動調整処理を示すフローチャート。
【図４】図３中の視聴形態の判定処理を示すフローチャート。
【発明を実施するための形態】
【００１０】
以下、本発明を実施するための形態を図面に基づき説明する。
図１に示すように、本実施形態に係る映像再生装置１を搭載したテレビジョン装置３は、ＢＳ／ＣＳ／地上デジタル放送などを受信し、この受信した放送コンテンツの再生及び表示が可能な、いわゆるデジタルテレビジョン装置である。このテレビジョン装置３は、上記した映像再生装置１に加え、ディスプレイ５、バックライトユニット７及びバックライトドライバ６を備えている。
【００１１】
ディスプレイ５は、表示素子が光を受光して表示を行う受光型の液晶表示パネルで構成されており、複数の画素がマトリクス状に配列されている。
【００１２】
バックライトユニット７は、ディスプレイ５の表示素子本体を複数の領域に区分した分割領域毎に複数の光源から各々光を供給する。つまり、バックライトユニット７は、複数のＬＥＤの群から各々構成される複数のバックライトモジュールを光源として複数備えており、個々のバックライトモジュールが、ディスプレイ５の分割領域毎の照明を行う。
【００１３】
バックライトドライバ６は、バックライトユニット７を少なくともバックライトモジュール毎に駆動制御する駆動回路である。より具体的には、バックライトドライバ６は、バックライトユニット７をバックライトモジュール単位で駆動することで、ディスプレイ５の分割領域毎の照明（各バックライトモジュール）の点灯及び消灯、並びに輝度調整（調光）を可能とする。
【００１４】
一方、映像再生装置１は、再生される映像の実用性を確保したうえで省電力化を図れるものである。すなわち、この映像再生装置１は、図１に示すように、受信処理部９、デコーダ１０、標準画質処理部１２、高画質化処理部１４、フレーム補間処理部１５、輝度検出処理部１６、バックライト点灯値制御部１７、円滑化処理部１８、カメラ２０、視線検出部２１、視聴形態（視聴状況）判定部２２、ユーザ指示部２３、ユーザ指示内容格納部２４、及び画像（消費電力）調整部８を備えている。
【００１５】
受信処理部９は、アンテナ２からそれぞれ取り込まれる例えばデジタル放送の放送波から所望の放送波（放送局）を選局するチューナである。なお、上記デジタル放送の放送波は、アンテナ２から取り込まれるものに限らず、ケーブルテレビ局などからケーブルを介して取り込まれるものであってもよい。
【００１６】
デコーダ１０は、放送波を復調することにより、多重化されていた映像データ及び音声データをそれぞれ分離し、この分離した音声データ及び映像データを、それぞれデジタルの音声信号及びデジタル映像信号として復号（デコード）する。
【００１７】
標準画質処理部１２は、デコーダ１０によってデコードされたデジタルの映像信号をディスプレイ５に標準画質で表示させるための処理を行う。高画質化処理部１４は、標準画質処理部１２から出力される標準画質に対応する映像データを基に推測を行って、高精細度（フルＨＤ：High Definition）画質に相当する映像データを生成するための例えば超高解像度処理などを行う。
【００１８】
フレーム補間処理部１５は、例えば毎秒６０フレームで構成される前後の画像フレームどうしの関係から予測したその中間の過渡的な画像に相当する内挿フレームを新たに毎秒６０フレーム生成し、画像データの構成単位を毎秒１２０フレームとする高画質化処理を行う。ここで、フレーム補間処理部１５は、例えば毎秒６０フレームで構成される個々の画像フレームを２回ずつ（２度ぶりして）ディスプレイ５に表示させる高画質化処理を行うものとし、これにより、画像データの構成単位を実質的に毎秒１２０フレームとするようにしてもよい。
【００１９】
また、フレーム補間処理部１５から出力される映像信号は、このフレーム補間処理部１５とＨＤＭＩ（High-Definition Multimedia Interface）ケーブル２５を介して接続されたディスプレイ５へ伝送される。
【００２０】
輝度検出処理部１６は、デコーダ１０によってデコードされたデジタルの映像信号の輝度情報を検出する。バックライト点灯値制御部１７は、輝度検出処理部１６によって検出された映像信号の輝度情報に基づいて、バックライトユニット７を構成するバックライトモジュール毎の点灯値（輝度値）を設定する。
【００２１】
例えばデコードされた映像信号が夜空などの暗い背景と月などの明るい前景とで構成された画像を表すものである場合、バックライト点灯値制御部１７は、背景の画像部分（を映し出すディスプレイ５上の分割領域）に対応するバックライトモジュールの点灯値を低く設定し、一方、前景の画像部分（を映し出すディスプレイ５上の分割領域）に対応するバックライトモジュールの点灯値を高く設定する。
【００２２】
ここで、バックライト点灯値制御部１７によるこのような点灯値（輝度値）の制御は、暗い画像部分に対応するバックライトモジュールを減光できることから、省電力化を図るうえでは有用であるものの、暗い画像部分と明るい画像部分との境界に明るさのムラとして灰色の縞などが生じる場合があり、一定以上の画像品質を確保するうえでは、明るさのムラを軽減する処理なども重要となる。
【００２３】
そこで、円滑化処理部１８は、明暗の差が表れる画像の境界部分で互いに隣接するバックライトモジュールどうしの点灯値の差を抑制する円滑化処理を行い、画像中の不自然な明るさのムラを抑える。この円滑化処理部１８が行う円滑化処理について、上記の夜空などの暗い背景と月などの明るい前景とで構成された画像が、時間の変化に伴って画面上で動く動画を例にとって説明する。
【００２４】
すなわち、円滑化処理部１８は、暗い背景と明るい前景との境界部分に空間的にみて急激な明暗差が表れないようにするために、境界部分の明暗を２段階の輝度で表現するのではなく、境界部分の周りの明暗を３段階以上の多段階の輝度にわけて表現し、境界部分の輝度の変化を空間的になまらせる。
【００２５】
また、暗い背景と明るい前景とかなる画像が動画として構成され、例えばディスプレイ５の表示画面上を右から左に動いて行く場合などを想定し、円滑化処理部１８は、背景と前景との境界部分の画像の時間的な円滑化処理を行う。つまり、円滑化処理部１８は、暗い背景と明るい前景との境界部分に時間的にみて急激な明暗の変化が表れないようにするために、境界の画像部分が、明から暗又は暗から明に移り変わる瞬間的変化を１段階の輝度の変化で表現するのではなく、時間をかけて２段階以上の多段階で輝度を変化させることにより、時間的に輝度の変化をなまらせる。
【００２６】
ここで、このような円滑化処理部１８による円滑化処理を強めるか弱めるか（境界部分の輝度の変化を空間的又は時間的にみて、より多段階で変化させるか否か）で、高画質化を重視するか省電力化を重視するかを選択することが可能となる。また、円滑化処理部１８から出力されるバックライトモジュール毎の輝度値を表す輝度信号は、この円滑化処理部１８と専用のバックライト制御ケーブル２６を介して接続されたバックライトドライバ６へ伝送される。
【００２７】
次に、本実施形態の映像再生装置１が備える省電力化の機能について説明する。図１に示すように、カメラ２０は、ディスプレイ５と対向する位置の周辺を撮影する。視線検出部２１は、顔向き情報検出部２１ａなどを備えており、ディスプレイ５に表示されたテレビ番組などの映像に対しての人物の視線（人物が見つめている方向）を検出する。
【００２８】
視線検出部２１は、人物を様々な角度からみたときの顔の外観を含む全身の外観を特徴量化したデータを予め記憶している。視線検出部２１は、カメラ２０によって撮影された映像を画像処理した後、特徴量化したデータを参照し、撮影された画像中に人物が存在するか否かを検出する。視線検出部２１は、例えばＣｏＨＯＧ（Co-occurrence Histograms of Oriented Gradients、輝度勾配方向共起ヒストグラム）と呼ばれる画像解析手法を応用して、人間の肩の輪郭や腰の輪郭など、２つの異なった位置での輪郭のペアがどのような頻度で現れるかを見ることで人物を表す輪郭のペアを抽出し人物を識別する。
【００２９】
人物の存在が検出された場合、顔向き情報検出部２１ａは、カメラ２０による撮影画像中の目、鼻及び口の位置や、顔の輪郭形状などに基づいて、ディスプレイ５上に表示された映像に対する人物の顔向きを顔向き情報として検出する。顔向き情報検出部２１ａを有する視線検出部２１は、さらに、カメラ２０による撮影画像中の目の中の例えば黒目の位置を特定し、特定したこの黒目の位置や上記顔向き情報などから総合的に人物の視線を検出する。
【００３０】
視聴形態（視聴状況）判定部２２は、視線検出部２１による検出結果に基づいて、ディスプレイ５上に表示された映像の人物による視聴形態（視聴状況）を判定する。視聴形態判定部２２は、視線検出部２１による検出結果に基づいて人物の視線が、ディスプレイ５上に表示された映像に向けられている度合いを算出し、この算出結果から、ディスプレイ５の映像を人物が注視しているか否かを視聴形態として判定する。
【００３１】
具体的には、視聴形態判定部２２は、視線検出部２１による検出結果に基づき、例えば３０秒〜１分といった所定時間内において、ディスプレイ５の表示映像に人物の視線が向けられている連続時間が第１の閾値を超えた場合、若しくは前記所定時間内において人物の視線がディスプレイ５の表示映像に向けられている合計時間が第２の閾値を超えた場合、ディスプレイ５の表示映像を人物が「注視」していると判定する。
【００３２】
また、視聴形態判定部２２は、所定時間内において、人物の視線が向けられている前述した連続時間が第１の閾値を超えていない場合でかつ上記合計時間も第２の閾値を超えていない場合、ディスプレイ５の表示映像を人物が「注視」しておらず、例えば読書などを伴ういわゆる「ながら視聴」を行っていると判定する。視聴形態判定部２２は、上記した３０秒〜１分といった所定時間が経過する度に人物によるこのような視聴形態を判定する。
【００３３】
ユーザ指示部２３は、視線検出部２１により人物として検出されたユーザに対して、図２に示すように、表示モード選択画面２７をディスプレイ５にＧＵＩ表示させる。この表示モード選択画面２７は、それぞれ後述する「高画質／省エネ自動切替モード」、「強制高画質モード」、「省エネモード」のうちのいずれかの表示モードの選択を要請するグラフィカルな入力要請ボタンを表示する。ユーザ指示部２３は、いずれかの入力要請ボタンがＧＵＩ操作により押下された場合、対応する表示モードの選択指示を受け付ける。なお、デフォルトでは、高画質／省エネ自動切替モード（に対応する入力要請ボタン）が予め選択されている。
【００３４】
ユーザ指示内容格納部２４は、ユーザ指示部２３により受け付けたユーザの指示内容、すなわち、ユーザが選択した表示モードを実行させるための指示情報を格納する。
【００３５】
画質（消費電力）調整部８は、視聴形態判定部２２により判定された人物（ユーザ）の視聴形態に応じて、ディスプレイ５の表示映像の画質を調整する。画質調整部８は、ディスプレイ５の表示映像の画質調整をバックライトモジュール毎の輝度調整で行うことにより、映像再生装置１本体の消費電力を制御する。
【００３６】
ここで、画質調整部８は、前述した高画質／省エネ自動切替モードの実行指示をユーザ指示部２３が受け付けた場合に、人物の視聴形態に応じた画質調整として画質自動調整処理を実行する。この画質自動調整処理は、視聴形態として、ディスプレイ５の表示映像をユーザが「注視」していると判定された場合、高画質優先処理を行い、一方、ディスプレイ５の表示映像をユーザが「ながら注視」していると判定された場合、画質（消費電力）低減処理を行う。
【００３７】
ユーザが映像を注視している場合の高画質優先処理では、画質調整部８は、少なくともバックライト点灯値制御部１７と共に円滑化処理部１８を制御し、円滑化処理を強める処理（空間的及び時間的観点から明暗の境界部分の輝度の変化を、より強くなまらせる処理）を実行させる。なお、高画質優先処理では、画質調整部８は、高画質化処理部１４及びフレーム補間処理部１５をそのまま動作させる。
【００３８】
一方、ユーザが映像を、「ながら視聴」している場合の画質（消費電力）低減処理では、画質調整部８は、バックライト点灯値制御部１７と共に円滑化処理部１８を制御し、円滑化処理を弱める処理（空間的及び時間的観点から明暗の境界部分の輝度の変化を、高画質優先処理の場合よりも弱めになまらせる処理）を実行させる。さらに、画質（消費電力）低減処理では、画質調整部８は、高画質化処理部１４及びフレーム補間処理部１５の動作を停止させ、これらの前段の標準画質処理部１２の映像出力をそのままディスプレイ５側に伝送する。本実施形態の映像再生装置１では、ユーザの視聴形態に見合った画質の映像を表示させるようにしたことで、画質調整に費やされる電力を、実質的にユーザの要求に見合うように効率的に消費させることができる。
【００３９】
ここで、前者の高画質優先処理時や後者の画質低減処理時に、高画質化処理部１４やフレーム補間処理部１５を動作させるか否かを、ユーザがユーザ指示部２３を通じて個別に選択できるようにしてもよい。また、円滑化処理部１８による円滑化処理を強める処理と弱める処理との双方の強度（円滑化処理の強度）をユーザ指示部２３を通じてユーザが個別に選択できるようにしてもよい。
【００４０】
また、上述した画質調整部８は、画質強制設定部８ａを備えている。画質強制設定部８ａは、視聴形態判定部２２により判定される視聴形態にかかわらず、ディスプレイ５の表示映像を画質を強制的に設定する。すなわち、前述した「強制高画質モード」の実行指示をユーザ指示部２３が受け付けた場合、画質強制設定部８ａは、ユーザの視聴形態にかかわらず、上述した高画質優先処理と同一の処理を強制的に実行させる。一方、「省エネモード」の実行指示をユーザ指示部２３が受け付けた場合、画質強制設定部８ａは、ユーザの視聴形態にかかわらず、上記した画質低減処理と同一の処理を強制的に実行させる。
【００４１】
さらに、画質調整部８は、非表示制御部８ｂを備えている。非表示制御部８ｂは、視線検出部２１によって、ディスプレイ５の表示映像を視聴する人物が存在しないことが検出された場合、ディスプレイ５に表示されている映像を非表示とする。より具体的には、非表示制御部８ｂは、ディスプレイ５の表示映像を非表示とする場合、バックライト点灯値制御部１７を制御して、バックライトユニット７を構成する全てのバックライトモジュールを消灯させる。ここで、視線検出部２１は、ディスプレイ５の表示映像に向けられている人物の視線を検出できるか否かで、映像を視聴する人物の存在の有無を判別しているので、人物が眠っている場合や、人物がディスプレイ５と対向せずに逆を向いている場合などにおいても、ディスプレイ５の表示映像を非表示として省電力化を図ることができる。
【００４２】
次に、このように構成された映像再生装置１が行う上記した画質自動調整処理及び視聴形態の判定処理をそれぞれ図３及び図４に示すフローチャートに基づき説明する。
図３に示すように、カメラ２０により撮影された映像を視線検出部２１が取得すると（Ｓ１）、視線検出部２１は、人物の視線の検出処理を行い、一方、視聴形態判定部２２は、視線検出部２１による検出結果に基づいて、ディスプレイ５の表示映像についてのユーザの視聴形態を判定する（Ｓ２）。
【００４３】
ここで、ディスプレイ５の表示映像を視聴するユーザが存在しない場合（Ｓ３のＮＯ）、画質調整部８の非表示制御部８ｂは、バックライトユニット７を構成する全てのバックライトモジュールを消灯させて（Ｓ４）、ディスプレイ５に表示されている映像を非表示とする。一方、ディスプレイ５の表示映像を視聴するユーザが存在する場合（Ｓ３のＹＥＳ）、視聴形態判定部２２は、表示映像をユーザが注視しているか否かを判定する（Ｓ５）。
【００４４】
視聴形態判定部２２が表示映像をユーザが注視していると判定した場合（Ｓ５のＹＥＳ）、画質調整部８は、円滑化処理部１８による円滑化処理を強めた高画質優先処理を行う（Ｓ６）。この場合、画質調整部８は、ユーザが表示映像を注視しているという視聴形態に対応させて、電力の消費を犠牲にし高画質化の処理を優先させていることで、表示映像中に明るさのムラなどが生じることが効果的に抑制される。
【００４５】
一方、表示映像をユーザが注視していないと視聴形態判定部２２により判定された場合（Ｓ５のＮＯ）、画質調整部８は、電力の消費が制限されるように円滑化処理部１８による円滑化処理を弱めた画質低減処理を行う（Ｓ７）。この場合、表示映像中に明るさのムラなどが生じるおそれがあるが、画質調整部８は、ユーザが表示映像を注視していないという視聴形態に対応させて、表示映像の画質を犠牲にし、省電力化の処理を優先させる。
【００４６】
ここで、図４に示すように、視聴形態の判定では、その前段で、まず、視線検出部２１は、カメラ２０で撮影された映像を画像処理し（Ｓ１１）、人物（ユーザ）の視線の検出処理を実行する（Ｓ１２）。視線検出部２１は、人物の視線を検出できなかった場合（Ｓ１２のＮＯ）、ディスプレイ５の表示映像を視聴するユーザが存在しないものと判定する（Ｓ１３）。
【００４７】
視線検出部２１が人物の視線を検出でき（Ｓ１２のＹＥＳ）、さらに、ディスプレイ５の表示映像にユーザの視線が向けられている度合いが、閾値（上述した第１の閾値又は第２の閾値）を超えている場合（Ｓ１４のＹＥＳ）、視聴形態判定部２２は、ディスプレイ５の表示映像をユーザが「注視」していると判定する（Ｓ１５）。一方、上記閾値を超えていない場合（Ｓ１４のＮＯ）、視聴形態判定部２２は、ディスプレイ５の表示映像をユーザが「ながら注視」していると判定する（Ｓ１６）。
【００４８】
既述したように、本実施形態に係る映像再生装置１では、ユーザの視聴形態に見合った画像品質の映像を適宜表示させることができるので、（ユーザの要求に見合わない）余分な画質調整に費やされる電力の消費を削減することができる。これにより、ユーザが求める表示映像の実用性を実質的に確保したうえで省電力化を図ることができる。
【００４９】
以上、本発明を実施の形態により具体的に説明したが、本発明はこの実施形態にのみ限定されるものではなく、その要旨を逸脱しない範囲で種々変更可能である。例えば、上記実施形態では、放送コンテンツを再生するためにテレビジョン装置に内蔵された映像再生装置を例示したが、これに換えて光ディスクやハードディスクドライブに記憶された記憶コンテンツを再生するためのＨＤＤレコーダやＤＶＤレコーダなどとして本発明の映像再生装置を適用することもできる。さらには、本発明の映像再生装置は、ＰＣなどのコンピュータ装置に内蔵されるものであってもよい。
【符号の説明】
【００５０】
１…映像再生装置、３…テレビジョン装置、５…ディスプレイ、６…バックライトドライバ、７…バックライトユニット、８…画像（消費電力）調整部、８ａ…画質強制設定部、８ｂ…非表示制御部、１２…標準画質処理部、１４…高画質化処理部、１５…フレーム補間処理部、１６…輝度検出処理部、１７…バックライト点灯値制御部、１８…円滑化処理部、２０…カメラ、２１…視線検出部、２１ａ…顔向き情報検出部、２２…視聴形態（視聴状況）判定部、２３…ユーザ指示部、２４…ユーザ指示内容格納部、２６…バックライト制御ケーブル、２７…表示モード選択画面。
【図１】
2011137874.tif 000003
【図２】
2011137874.tif 000004
【図３】
2011137874.tif 000005
【図４】
2011137874.tif 000006